(57)【要約】【課題】複雑な意匠の発光領域を簡便な構成で実現することが可能な灯具を提供する。【解決手段】光を出射する光源部（１３）と、光源部（１３）からの光が端面から入射されて側面から出射する導光棒部（１４ｂ，１４ｃ）と、導光棒部（１４ｂ，１４ｃ）からの光が側部から入射されて前方に出射する第１導光板（１７）と、導光棒部（１４ｂ，１４ｃ）からの光を前方に反射する反射要素部（１６）を備え、第１導光板（１７）は反射要素部（１６）よりも前方に配置され、反射要素部（１６）からの反射光を透過する灯具（１０）。【選択図】図１
2017220412.tif 000002
【特許請求の範囲】
【請求項１】
光を出射する光源部と、
前記光源部からの光が端面から入射されて側面から出射する導光棒部と、
前記導光棒部からの光が側部から入射されて前方に出射する第１導光板と、
前記導光棒部からの光を前方に反射する反射要素部を備え、
前記第１導光板は前記反射要素部よりも前方に配置され、前記反射要素部からの反射光を透過することを特徴とする灯具。
【請求項２】
請求項１に記載の灯具であって、
前記導光棒部は、前記第１導光板及び前記反射要素部に対して光を照射する第１導光棒を備えることを特徴とする灯具。
【請求項３】
請求項１に記載の灯具であって、
前記導光棒部は、前記第１導光板に対して光を照射する第１導光棒と、前記反射要素部に対して光を照射する第２導光棒とを備えることを特徴とする灯具。
【請求項４】
請求項３に記載の灯具であって、
前記第１導光棒と前記反射要素部との間に、前記第１導光棒から前記反射要素部への光を遮蔽する遮光部が設けられていることを特徴とする灯具。
【請求項５】
請求項１乃至４の何れか一つに記載の灯具であって、
前記導光棒部からの出射光が側部から入射されて前方に出射する第２導光板を備え、
前記反射要素部は、前記第２導光板の後面に形成されていることを特徴とする灯具。
【請求項６】
請求項１乃至４の何れか一つに記載の灯具であって、
前記反射要素部は、表面に反射面が形成された反射鏡であることを特徴とする灯具。
【請求項７】
請求項１乃至６の何れか一つに記載の灯具であって、
前記第１導光板と前記反射要素部との間に、光を部分的に遮蔽するスリット部が配置されていることを特徴とする灯具。
【発明の詳細な説明】
【技術分野】
【０００１】
本発明は、灯具に関し、特に光源からの光を導光棒部で導光して照射する灯具に関する。
【背景技術】
【０００２】
近年、発光ダイオード（ＬＥＤ：Ｌｉｇｈｔ  Ｅｍｉｔｔｉｎｇ  Ｄｉｏｄｅ）の技術が発展し、家庭用照明器具や車両用灯具などの光源としてＬＥＤが用いられるようになってきている。これらの灯具では、導光板や拡散板などを用いてＬＥＤからの出射光を外部に取り出すことで、点光源に近く指向性の高いＬＥＤの出射光を所望の方向に照射することが一般的に用いられている（例えば特許文献１，２）。
【０００３】
また、ＬＥＤを光源として用いた灯具としては、例えば車両用灯具やインテリアなどの分野においては、照射対象に対して均等に光を照射するだけではなく、光る領域を適切に設計して、外部から視認した時の意匠性を高めるという要求もある。このような要求に応えるために、ＬＥＤからの出射光を棒状の導光体に入射させて、棒状の導光体の側面から光を取り出して線状の領域で光らせることも提案されている。
【先行技術文献】
【特許文献】
【０００４】
【特許文献１】特開平１−２５１５０２号公報
【特許文献２】特開２００６−３１３６８１号公報
【発明の概要】
【発明が解決しようとする課題】
【０００５】
前述したように意匠性を高める灯具では、棒状の導光体を用いて導光体の形状に対応した線状の発光領域を実現している。しかし棒状の導光体では、幅を細くすることに成形性の問題から限界があり、約５ｍｍ〜１０ｍｍ程度の発光幅を得ることしかできなかった。また、光ファイバー等の細い導光体を用いる場合には、ＬＥＤの出射光を端面に入射させるための光軸合わせが必要であり、加工や組立の難易度が高くなるという問題もあった。さらに、極端に細い導光体は剛性も不足しがちであり、組立時や使用時に破損しないように設計する必要があり部品点数の増加や設計自由度の低下をもたらすという問題もあった。
【０００６】
また、灯具の発光領域を二次元的や三次元的なものにして意匠性をさらに高めるためには、棒状の導光体を複雑に配置し、それぞれの側面からの発光分布を適切に設計する必要が有るため、複雑な意匠の灯具を実現することは設計が困難で部品点数が増加するという問題もあった。
【０００７】
そこで本発明は、複雑な意匠の発光領域を簡便な構成で実現することが可能な灯具を提供することを課題とする。
【課題を解決するための手段】
【０００８】
上記課題を解決するために本発明の灯具は、光を出射する光源部と、前記光源部からの光が端面から入射されて側面から出射する導光棒部と、前記導光棒部からの光が側部から入射されて前方に出射する第１導光板と、前記導光棒部からの光を前方に反射する反射要素部を備え、前記第１導光板は前記反射要素部よりも前方に配置され、前記反射要素部からの反射光を透過することを特徴とする。
【０００９】
このような本発明の灯具では、棒状の導光体である導光棒部で光源からの光を第１導光板と反射要素部に照射し、反射要素部の反射光を第１導光板が透過して前方に光を取り出すため、第１導光板からの光照射と反射要素部からの光照射を重ねあわせて灯具全体の発光領域を形成でき、複雑な意匠の発光領域を簡便な構成で実現することが可能となる。
【００１０】
また本発明の一態様では、前記導光棒部は、前記第１導光板及び前記反射要素部に対して光を照射する第１導光棒を備える。
【００１１】
また本発明の一態様では、前記導光棒部は、前記第１導光板に対して光を照射する第１導光棒と、前記反射要素部に対して光を照射する第２導光棒とを備える。
【００１２】
また本発明の一態様では、前記第１導光棒と前記反射要素部との間に、前記第１導光棒から前記反射要素部への光を遮蔽する遮光部が設けられている。
【００１３】
また本発明の一態様では、前記導光棒部からの出射光が側部から入射されて前方に出射する第２導光板を備え、前記反射要素部は、前記第２導光板の後面に形成されている。
【００１４】
また本発明の一態様では、前記反射要素部は、表面に反射面が形成された反射鏡である。
【００１５】
また本発明の一態様では、前記第１導光板と前記反射要素部との間に、光を部分的に遮蔽するスリット部が配置されている。
【発明の効果】
【００１６】
本発明では、複雑な意匠の発光領域を簡便な構成で実現することが可能な灯具を提供することができる。
【図面の簡単な説明】
【００１７】
【図１】第１実施形態における灯具１０を示す模式図であり、図１（ａ）は灯具１０全体の模式断面図、図１（ｂ）は発光素子１３と導光棒１４との位置関係を示す模式図である。
【図２】第１実施形態における発光素子１３、導光棒１４及び後方導光板１６と前方導光板１７との関係を説明するための模式図である。
【図３】第１実施形態における導光棒１４と後方導光板１６と前方導光板１７での導光および光出射を説明するための模式図である。
【図４】第２実施形態における灯具３０の導光棒に沿った断面を示す模式図である。
【図５】第２実施形態における灯具３０を示す模式断面図である。
【図６】第３実施形態における灯具４０を示す模式断面図である。
【図７】第４実施形態における灯具５０を示す模式断面図である。
【図８】第５実施形態における灯具６０を示す模式断面図である。
【発明を実施するための形態】
【００１８】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における灯具１０を示す模式図であり、図１（ａ）は灯具１０全体の模式断面図、図１（ｂ）は発光素子１３と導光棒１４との位置関係を示す模式図である。
【００１９】
本実施形態の灯具１０は、筐体後部１１ａと、筐体前部１１ｂと、光出射部１１ｃと、発光素子搭載部１２と、発光素子１３と、導光棒１４と、隔壁１５と、後方導光板１６と、前方導光板１７と、遮蔽部１８とを備えている。図１（ａ）に示すように、灯具１０が光を出射する方向である図中左方向を前方Ｆとし、その反対側を後方とする。
【００２０】
上述した筐体後部１１ａ、筐体前部１１ｂ、光出射部１１ｃは一体に組み立てられて灯具１０の筐体を構成しており、その他の部材を筐体内部に収容している。筐体後部１１ａは筐体の後方を構成する部材であり、後端面の一部には開口部が形成されて発光素子搭載部１２が開口部に嵌め込まれている。筐体前部１１ｂは、筐体の前方側面を構成する部材であり、灯具１０の内部からの光が透過しない材質で構成されることが好ましい。光出射部１１ｃは、筐体の前面を構成する部材であり、灯具１０の内部からの光を透過する材質で構成されている。
【００２１】
発光素子搭載部１２は、筐体内部において発光素子１３を搭載する部材であり、筐体後部１１ａの後端面に設けられた開口部に嵌め込まれて、筐体の内部と外部との電気的接続を確保するとともに、発光素子１３への電力を供給する駆動回路としての機能を有している。
【００２２】
発光素子１３は、発光素子搭載部１２上に搭載されて供給された電力に応じて発光する部材であり、本発明における光源に相当している。発光素子１３としては、例えばＬＥＤや半導体レーザ、有機ＥＬ素子などが挙げられるが、光源の面積が小さいＬＥＤや半導体レーザが導光棒１４の端面に対して光を入射させることが容易なためには好ましい。発光素子１３が発光する光は、照明や車両用灯具等の用途では白色が好ましいが、他の色を発光するものであってもよい。
【００２３】
導光棒１４は、発光素子１３からの光が入射されてその内部を導光し、側面から光を出射する棒状の導光体である。導光棒１４の形状は一本の直線形状に限定されず、湾曲や分岐を含んでいてもよい。本実施形態では、図１（ａ）（ｂ）に示すように、導光棒１４は入射端面１４ａと導光棒部１４ｂ，１４ｃを備えており、入射端面１４ａは、筐体後部１１ａ内において発光素子１３に対向して配置され、導光棒部１４ｂと１４ｃに分岐した後に湾曲している。導光棒部１４ｂと１４ｃは、分岐した後に筐体前部１１ｂの内部に延伸されて各々が筐体前部１１ｂの上下で長手方向に沿って配置され、後方導光板１６および前方導光板１７の側面に対向している。
【００２４】
隔壁１５は、筐体の内部で筐体後部１１ａと筐体前部１１ｂとの間に設けられて両者の内部空間を分離する部材であり、灯具１０の前方からみて筐体後部１１ａの内部が視認できないように光を遮蔽する材質で構成されている。
【００２５】
後方導光板１６は、光を透過する材質で構成された略平板状の部材であり、その後端面には反射面が形成されて本発明における反射要素部に相当している。後方導光板１６の側面から入射した光は、内部を導波して後端面の反射面によって反射されて前方に出射される。
【００２６】
前方導光板１７は、光を透過する材質で構成された略平板状の部材であり、本発明の第１導光板に相当している。前方導光板１７の側面から入射した光は、内部を導波して後述する反射構造によって反射されて前方に出射される。また、前方導光板１７よりも後方に配置された後方導光板１６から前方導光板１７の背面に入射した光は、前方導光板１７を透過して前方に取り出される。
【００２７】
遮蔽部１８は、筐体前部１１ｂの内部で導光棒部１４ｂ，１４ｃの前方に取り付けられており、光を遮る材質で構成された略板状の部材であり、本発明における遮光部材に相当している。遮蔽部１８が導光棒部１４ｂ，１４ｃの前方に配置されることで、光出射部１１ｃを介して灯具１０の正面から導光棒部１４ｂ，１４ｃを直接視認することがない。
【００２８】
発光素子１３が発光した光は、入射端面１４ａから導光棒１４の内部に入射され、導光棒部１４ｂ，１４ｃの内部を伝搬しながら導光棒部１４ｂ，１４ｃの側面から図中矢印で示したように後方導光板１６及び前方導光板１７に対して照射される。後方導光板１６及び前方導光板１７の側面から入射した光は、内部を伝搬しながら反射面や反射構造によって反射されて前方に出射され、光出射部１１ｃから灯具１０の前方Ｆに向けて照射される。
【００２９】
本実施形態の灯具１０における光の伝搬と出射について、図２、図３を用いてさらに詳細に説明する。図２は、本実施形態における発光素子１３、導光棒１４及び後方導光板１６と前方導光板１７との関係を説明するための模式図である。図３は、第１実施形態における導光棒１４と後方導光板１６と前方導光板１７での導光および光出射を説明するための模式図である。
【００３０】
発光素子搭載部１２に搭載された発光素子１３は、入射端面１４ａの中心軸に位置合わせして対向して配置されており、発光素子１３から発せられた光が入射端面１４ａから導光棒部１４ｂ，１４ｃの内部に入射される。導光棒部１４ｂ、１４ｃには、側面の一部に長手方向に沿って複数のテーパー形状である反射構造１４ｄが形成されている。また、反射構造１４ｄの反対側面は光の出射面とされており、後方導光板１６と前方導光板１７の側面に対向して配置されている。
【００３１】
後方導光板１６と前方導光板１７は、前面が平面とされる一方、後端面には複数の斜面部１６ａ，１７ａが形成されている。これらの斜面部１６ａ，１７ａは、導光棒部１４ｂ，１４ｃの長手方向に沿う方向にわたって形成されており、互いに平行に配置されている。斜面部１６ａ，１７ａ同士の間は平面とされており、これらの平面で斜面部１６ａ，１７ａが繋がれている。後方導光板１６と前方導光板１７を前方からみた平面視において、斜面部１６ａ，１７ａの幅Ｗ１は１ｍｍ以下とすることができる。
【００３２】
図３に示すように、灯具１０において発光素子１３に給電されて発光すると、この発光素子１３から発せられた光は、導光棒１４の入射端面１４ａから導光棒部１４ｂ，１４ｃの内部に入射される。その光は、導光棒部１４ｂ，１４ｃの長手方向に沿って導光され、いずれかの反射構造１４ｄに導かれる。反射構造１４ｄは、そのテーパー形状の反射面によって導光されている光の一部を導光棒部１４ｂ，１４ｃの中心部に集光するように反射して、反射構造１４ｄと対向する出射面から後方導光板１６と前方導光板１７の入射端面に向けて出射される。後方導光板１６と前方導光板１７は、導光棒部１４ｂ，１４ｃの長手方向と略平行な入射端面を有するため、導光棒部１４ｂ，１４ｃによって実現される擬似的な線状光源とが互いに略平行に配置される。このため、擬似的な線状光源からの光が後方導光板１６と前方導光板１７の端面に対して高い割合で入射されることとなる。
【００３３】
後方導光板１６と前方導光板１７に入射された光は、後端面に設けられたいずれかの斜面部１６ａ，１７ａで反射され、灯具１０の前方Ｆに向けて出射される。これにより、灯具１０の前方Ｆには、後方導光板１６と前方導光板１７の複数の斜面部１６ａ，１７ａで反射されて上下に間隔をあけて配されたライン状の光が照射される。ここでは説明のために同じ図を用いて斜面部１６ａ，１７ａを説明したが、斜面部１６ａと１７ａは同じ位置で同じ幅である必要はなく、互いに幅や間隔は異ならせていてもよい。また、細い線幅の照射領域を実現するために斜面部１６ａ，１７ａの幅Ｗ１を１ｍｍ以下とする例を示したが、１ｍｍ以上であってもよい。さらに、一つの斜面部１６ａ，１７ａを同一幅で形成するとしてもよく、幅が変化する形状としてもよい。
【００３４】
本実施形態では、後方導光板１６と前方導光板１７にそれぞれ斜面部１６ａ，１７ａが形成されており、それぞれが複数のライン状に光照射をする。これにより、後方導光板１６と前方導光板１７では、斜面部１６ａ，１７ａに対応した線幅の細い二次元的で意匠性の高い光照射を実現できる。また、後方導光板１６と前方導光板１７の複数の斜面部１６ａ，１７ａをそれぞれ異なる位置に異なる幅で形成することで、複雑な意匠の線状な光照射を簡単な構造で実現することができる。
【００３５】
また、前方導光板１７は後方導光板１６よりも前方に配置されており後方からの光を透過する。したがって光出射部１１ｃから照射される光は、後方導光板１６の斜面部１６ａに対応したライン状照射領域と、前方導光板１７の斜面部１７ａに対応したライン状照射領域が重ねあわされた形状となる。このとき、灯具１０の前方から光出射部１１ｃを介して視認すると、後方導光板１６と前方導光板１７の奥行も認識でき、本実施形態の灯具では線幅の細い三次元的な意匠性の高い光照射を実現できる。
【００３６】
また、本実施形態の灯具１０では、一つの導光棒部１４ｂ,１４ｃから後方導光板１６および前方導光板１７に対して光を入射させている。これにより導光棒部１４ｂ，１４ｃの部品点数を低減することができ、軽量化と組立作業の簡素化を図ることができる。
【００３７】
上述したように、本実施形態の灯具１０では、複雑な意匠の発光領域を簡便な構成で実現することができる。
【００３８】
（第２実施形態）
次に本発明の第２実施形態について図４を用いて説明する。第１実施形態と重複する部分についての説明は省略する。また、簡略化のために隔壁１５よりも後方の構造は図示と説明を省略する。図４は、第２実施形態における灯具３０の導光棒に沿った断面を示す模式図である。図５は、本実施形態における灯具３０を示す模式断面図である。
【００３９】
灯具３０は、筐体後部３１ａと、筐体前部３１ｂと、光出射部３１ｃと、導光棒部３４ｂ，３４ｃ，３４ｅ，３４ｆと、後方導光板３６と、前方導光板３７と、遮蔽部３８ａ，３８ｂとを備えている。導光棒部３４ｂ，３４ｃはその光出射側面が後方導光板３６の入射端面に対向して配置されており、導光棒部３４ｅ，３４ｆはその光出射側面が前方導光板３７の入射端面に対向して配置されている。
【００４０】
図４に示すように本実施形態の導光棒部３４ｂ，３４ｃ，３４ｅ，３４ｆは湾曲した棒状をなす導光体であり、後方導光板３６と前方導光板３７も導光棒部３４ｂ，３４ｃ，３４ｅ，３４ｆの湾曲形状に対応した側面の湾曲面とされている。
【００４１】
発光素子３３ａ，３３ｂは導光棒部３４ｂ，３４ｃ，３４ｅ，３４ｆの入射端面に対向して設けられており、発光素子３３ａ，３３ｂからの光は入射端面から導光棒部３４ｂ，３４ｃ，３４ｅ，３４ｆの内部を伝搬し、導光棒部３４ｂ，３４ｃ，３４ｅ，３４ｆからの光は後方導光板３６と前方導光板３７で反射されて前方Ｆに照射される。
【００４２】
第１実施形態と同様に、後方導光板３６の後端面には斜面部３６ａが複数形成され、前方導光板３７の後端面には斜面部３７ａが複数形成されている。また、導光棒部３４ｂ，３４ｃの前方には遮蔽部３８ａが取り付けられ、導光棒部３４ｅ，３４ｆの前方には遮蔽部３８ｂが取り付けられており、光出射部３１ｃを介して灯具３０の正面から導光棒部３４ｂ，３４ｃ，３４ｅ，３４ｆを直接視認することがない。
【００４３】
本実施の形態では、導光棒部３４ｂ，３４ｃ，３４ｅ，３４ｆが湾曲した棒状に形成されており、後方導光板３６と前方導光板３７で細い線幅の光照射を実現できる。これにより、複雑な意匠の発光領域を簡便な構成で実現することができる。
【００４４】
本実施形態では、後方導光板３６と前方導光板３７にそれぞれ対応する導光棒部３４ｂ，３４ｃと導光棒部３４ｅ，３４ｆが配置される点が第１実施形態とは異なっている。本実施形態では、導光棒部３４ｂ，３４ｃと導光棒部３４ｅ，３４ｆからそれぞれ後方導光板３６と前方導光板３７に対して光照射をするので、導光棒部３４ｂ，３４ｃと導光棒部３４ｅ，３４ｆからの光取り出しの設計および加工が容易になる。
【００４５】
また、後方導光板３６の斜面部３６ａで照射される線幅の細いライン状の光照射は前方導光板３７を透過し、前方導光板３７の斜面部３７ａで照射される線幅の細いライン状の光照射と重ね合わせて光出射部３１ｃから前方Ｆに照射される。したがって本実施形態の灯具１０でも、斜面部３６ａ，３７ａに対応した線幅の細い二次元的および三次元的で意匠性の高い光照射を簡便な構成で実現することができる。
【００４６】
（第３実施形態）
次に本発明の第３実施形態について図６を用いて説明する。第１実施形態と重複する部分についての説明は省略する。また、簡略化のために隔壁１５よりも後方の構造は図示と説明を省略する。図６は、第３実施形態における灯具４０を示す模式断面図である。
【００４７】
灯具４０は、筐体後部４１ａと、筐体前部４１ｂと、光出射部４１ｃと、導光棒部４４ｂ，４４ｃ，４４ｅ，４４ｆと、後方反射部４６と、前方導光板４７と、遮蔽部４８ａ，４８ｂとを備えている。導光棒部４４ｂ，４４ｃはその光出射側面が後方反射部４６に対向して配置されており、導光棒部４４ｅ，４４ｆはその光出射側面が前方導光板４７の入射端面に対向して配置されている。
【００４８】
第１実施形態と同様に、前方導光板４７の後端面には斜面部４７ａが複数形成されている。また、導光棒部４４ｂ，４４ｃの前方には遮蔽部３８ａが取り付けられ、導光棒部４４ｅ，４４ｆの前方には遮蔽部４８ｂが取り付けられており、光出射部４１ｃを介して灯具４０の正面から導光棒部４４ｂ，４４ｃ，４４ｅ，４４ｆを直接視認することがない。
【００４９】
後方反射部４６は、その前面が光を反射する反射面４６ａとして形成された部材であり、本発明における反射要素部に相当している。後方反射部４６の前面は、光出射部４１ｃに略平行な平坦部４６ｂと、光出射部４１ｃに対して傾斜した斜面部４６ｃとが複数形成されて多段のステップ状段差が形成されている。これらの斜面部４６ｃは、導光棒部４４ｂ，４４ｃの長手方向に沿う方向にわたって形成されており、互いに平行に配置されている。斜面部４６ｃ同士の間は平坦部４６ｂとされており、これらの平坦部４６ｂで斜面部４６ｃが繋がれている。後方反射部４６を前方からみた平面視において、斜面部４６ｃの幅Ｗ２は１ｍｍ以下とすることができる。
【００５０】
灯具４０において発光素子１３から発せられた光は導光棒部４４ｂ，４４ｃの内部に入射される。その光は、導光棒部４４ｂ，４４ｃの長手方向に沿って導光され出射側面から後方反射部４６に向けて出射される。
【００５１】
後方反射部４６に入射された光は、いずれかの斜面部４６ｃで反射されて灯具４０の前方Ｆに向けて出射される。これにより、灯具４０の前方Ｆには、後方反射部４６の複数の斜面部４６ｃで反射されて上下に間隔をあけて配されたライン状の光が照射される。また、細い線幅の照射領域を実現するために斜面部４６ｃの幅Ｗ２を１ｍｍ以下とする例を示したが、１ｍｍ以上であってもよい。さらに、一つの斜面部４６ｃを同一幅で形成するとしてもよく、幅が変化する形状としてもよい。
【００５２】
後方反射部４６の斜面部４６ｃで照射される線幅の細いライン状の光照射は、前方導光板４７を透過し、前方導光板４７の斜面部４７ａで照射される線幅の細いライン状の光照射と重ね合わせて光出射部４１ｃから前方Ｆに照射される。したがって本実施形態の灯具４０でも、斜面部４６ｃ，４７ａに対応した線幅の細い二次元的および三次元的で意匠性の高い光照射を簡便な構成で実現することができる。
【００５３】
（第４実施形態）
次に本発明の第４実施形態について図７を用いて説明する。第１実施形態と重複する部分についての説明は省略する。また、簡略化のために隔壁１５よりも後方の構造は図示と説明を省略する。図７は、第４実施形態における灯具５０を示す模式断面図である。
【００５４】
灯具５０は、筐体後部５１ａと、筐体前部５１ｂと、光出射部５１ｃと、導光棒部５４ｂ，５４ｃ，５４ｅ，５４ｆと、後方反射部５６と、前方導光板５７と、遮蔽部５８ａ，５８ｂと、スリット部５９とを備えている。導光棒部５４ｂ，５４ｃはその光出射側面が後方反射部５６に対向して配置されており、導光棒部５４ｅ，５４ｆはその光出射側面が前方導光板５７の入射端面に対向して配置されている。
【００５５】
後方反射部５６の前面は、光出射部５１ｃに略平行な平坦部５６ｂと、光出射部５１ｃに対して傾斜した斜面部５６ｃとが複数形成されて多段のステップ状段差が形成されている。スリット部５９は、後方反射部５６よりも前方で前方導光板５７よりも後方の位置に配され、光を透過しない遮光性の材料で構成された略平板状の部材であり、複数の開口部５９ａが形成されている。スリット部５９を前方からみた平面視において、開口部５９ａの幅Ｗ３は１ｍｍ以下とすることができる。
【００５６】
後方反射部５６の斜面部５６ｃで照射される線幅の細いライン状の光照射は、スリット部５９の開口部５９ａを通過して前方導光板５７を透過し、前方導光板５７の斜面部５７ａで照射される線幅の細いライン状の光照射と重ね合わせて光出射部５１ｃから前方Ｆに照射される。したがって本実施形態の灯具５０でも、斜面部５６ｃ，５７ａに対応した線幅の細い二次元的および三次元的で意匠性の高い光照射を簡便な構成で実現することができる。また、斜面部５６ｃで反射されて開口部５９ａを透過した光が前方Ｆに照射されるため、灯具５０の前方からは三次元的な意匠を視認することができる。
【００５７】
ここでは後方反射部５６としてステップ状段差が設けられた例を示したが、反射光が開口部５９ａを通過することで線幅の細いライン状の光照射を行うため、後方反射部５６の形状は限定されず、平板状でも凹曲面や凸曲面などであってもよい。
【００５８】
（第５実施形態）
次に本発明の第５実施形態について図８を用いて説明する。第１実施形態と重複する部分についての説明は省略する。また、簡略化のために隔壁１５よりも後方の構造は図示と説明を省略する。図８は、第５実施形態における灯具６０を示す模式断面図である。
【００５９】
灯具６０は、筐体後部６１ａと、筐体前部６１ｂと、光出射部６１ｃと、導光棒部６４ｂ，６４ｃと、後方反射部６６と、前方導光板６７と、遮蔽部６８と、スリット部６９とを備えている。導光棒部６４ｂ、６４ｃは、側面の一部が光出射面とされて前方導光板６７の側面に対向して配置され、前方導光板６７の側面と後方反射部６６の前面に対して光を照射する。
【００６０】
後方反射部６６の前面は、光出射部６１ｃに略平行な平坦部６６ｂと、光出射部６１ｃに対して傾斜した斜面部６６ｃとが複数形成されて多段のステップ状段差が形成されている。スリット部６９は、光を透過しない遮光性の材料で構成された略平板状の部材であり、複数の開口部６９ａが形成されている。スリット部６９を前方からみた平面視において、開口部６９ａの幅Ｗ３は１ｍｍ以下とすることができる。
【００６１】
後方反射部６６の斜面部６６ｃで照射される線幅の細いライン状の光照射は、スリット部６９の開口部６９ａを通過して前方導光板６７を透過し、前方導光板６７の斜面部６７ａで照射される線幅の細いライン状の光照射と重ね合わせて光出射部６１ｃから前方Ｆに照射される。したがって本実施形態の灯具６０でも、斜面部６６ｃ，６７ａに対応した線幅の細い二次元的および三次元的で意匠性の高い光照射を簡便な構成で実現することができる。また、斜面部６６ｃで反射されて開口部６９ａを透過した光が前方Ｆに照射されるため、灯具６０の前方からは三次元的な意匠を視認することができる。
【００６２】
また、本実施形態の灯具６０では、一つの導光棒部６４ｂ,６４ｃから後方反射部６６および前方導光板６７に対して光を入射させている。これにより導光棒部６４ｂ，６４ｃの部品点数を低減することができ、軽量化と組立作業の簡素化を図ることができる。さらに、本実施形態の灯具６０では、複雑な意匠の発光領域を簡便な構成で実現することができる。
【００６３】
ここでは後方反射部６６としてステップ状段差が設けられた例を示したが、反射光が開口部６９ａを通過することで線幅の細いライン状の光照射を行うため、後方反射部６６の形状は限定されず、平板状でも凹曲面や凸曲面などであってもよい。また、後方反射部６６としてステップ状段差が設けられている場合には、斜面部６６ｃに対応した線幅の細いライン状の光照射をするため、スリット部６９を設けなくとも後方反射部６６からのライン状の光照射と前方導光板６７からのライン状の光照射とを重ね合わせて前方に照射することができる。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６５】
１０，３０，４０，５０，６０…灯具
１１ａ，３１ａ，４１ａ，５１ａ，６１ａ…筐体後部
１１ｂ，３１ｂ，４１ｂ，５１ｂ，６１ｂ…筐体前部
１１ｃ，３１ｃ，４１ｃ，５１ｃ，６１ｃ…光出射部
１２…発光素子搭載部
１３，３３ａ，３３ｂ…発光素子
１４…導光棒
１４ａ…入射端面
１４ｂ，１４ｃ，３４ｂ，３４ｃ，３４ｅ，３４ｆ，４４ｂ，４４ｃ，４４ｅ，４４ｆ，５４ｂ，５４ｃ，５４ｅ，５４ｆ，６４ｂ，６４ｃ…導光棒部
１４ｄ…反射構造
１５…隔壁
１６，３６…後方導光板
１７，３７，４７，５７，６７…前方導光板
１６ａ，１７ａ，３６ａ，３７ａ，４６ｃ，４７ａ，５６ｃ，５７ａ，６６ｃ，６７ａ…斜面部
１８，３８ａ，３８ｂ，４８ａ，４８ｂ，５８ａ，５８ｂ，６８…遮蔽部
４６，５６，６６…後方反射部
４６ａ…反射面
４６ｂ，５６ｂ，６６ｂ…平坦部
５９，６９…スリット部
５９ａ，６９ａ…開口部
【図１】
2017220412.tif 000003
【図２】
2017220412.tif 000004
【図３】
2017220412.tif 000005
【図４】
2017220412.tif 000006
【図５】
2017220412.tif 000007
【図６】
2017220412.tif 000008
【図７】
2017220412.tif 000009
【図８】
2017220412.tif 000010